(57)【要約】【課題】  遊技球発射装置において、発射後の巻ばねの振動を抑止する。【解決手段】  発射装置１の稼働時に打球杵３３が後退変位する際には巻ばね７７のねじれ変形量が増加（巻ばね７７の径が拡大）する。打球杵３３が、巻ばね７７の反発力によって前進変位して遊技球を打撃（発射）する際には巻ばね７７のねじれ変形量が減少（巻ばね７７の径が縮小）する。遊技球を打撃した打球杵３３が静止したときには、巻ばね７７がスリーブ５９を巻き締めるので、巻ばね７７がスリーブ５９に拘束されて振動できなくなる。遊技球の発射後に巻ばね７７が振動し続けることはなく、この振動に起因する様々な不都合を回避できる。【選択図】  図５
2006042890.tif 000002
【特許請求の範囲】
【請求項１】
ベース板と、
該ベース板に一体化された軸受筒と、
該軸受筒内に保持される軸受と、
該軸受により回転自在に保持される駆動軸と、
該駆動軸に連結され該駆動軸を軸として前進及び後退揺動する打球杵と、
前記軸受筒を取り巻く姿勢で配され、該打球杵の後退揺動に伴ってねじれ変形量を増加して前記打球杵を前進方向に付勢する巻ばねと、
該巻ばねの付勢力に抗して前記打球杵を後退変位させてから解放する後退駆動機構とを備える遊技球発射装置において、
前記打球杵が前記後退駆動機構から解放されて前進端にあるときに前記巻ばねの中間部に接触して該巻ばねの振動を抑止する振動抑止手段を設けた
ことを特徴とする遊技球発射装置。
【請求項２】
請求項１記載の遊技球発射装置において、
前記振動抑止手段は、円筒又は円錐の側面に相当する曲面に沿って配置された接触部にて前記巻ばねに接触して振動を抑止する
ことを特徴とする遊技球発射装置。
【請求項３】
請求項１又は２記載の遊技球発射装置において、
前記振動抑止手段は、筒体であることを特徴とする遊技球発射装置。
【請求項４】
請求項２又は３記載の遊技球発射装置において、
前記振動抑止手段は、前記巻ばねに内接して振動を抑止する構成であり、その外面はテーパ面である
ことを特徴とする遊技球発射装置。
【請求項５】
請求項１ないし４のいずれか１項に記載の遊技球発射装置において、
前記振動抑止手段は、前記巻ばねの一方の端部を保持して、遊技者による操作に従って変位することで前記巻ばねのねじれ変形量を調節する調整部材と一体である
ことを特徴とする遊技球発射装置。
【発明の詳細な説明】
【技術分野】
【０００１】
本発明は、パチンコ機等の弾球遊技機に装着される遊技球発射装置の技術分野に属する。
【背景技術】
【０００２】
普通、パチンコ機等の弾球遊技機は遊技球を発射するための遊技球発射装置を備えている。遊技球発射装置の構造はさまざまなものが提案され、また実用化されている。
その一種として遊技球を打撃するための駆動源として巻ばね（ねじれコイルばね）を用いるものがある。
【０００３】
この巻ばねは、一方の端部を、例えばトルクキャップを介して駆動軸に連結され、他方の端部は、遊技者による操作に従って変位することで巻ばねのねじれ変形量を調節する調整部材に保持されて、駆動軸の軸受筒を取り巻く姿勢で配され、駆動軸に取り付けられた打球杵が後退駆動機構（例えばモータで回転駆動されるカム）によって後退揺動させられるとねじれ変形量を増加して打球杵を前進方向に付勢し、打球杵が後退駆動機構から解放されると、その付勢力で打球杵を前進揺動させて発射レール上の遊技球を打撃（発射）する。
【特許文献１】特開平２００１−２５９１３２号公報（段落００２９、図２）
【発明の開示】
【発明が解決しようとする課題】
【０００４】
特許文献１に開示の遊技球発射装置では、巻ばねの両端は、それぞれトルクキャップと調整部材とによって支持されているものの、中間部分は何ら支持されていなかった（軸受筒に遊嵌）。このため、打球杵が遊技球を打撃し、ストッパに衝突して静止した後に巻ばねが振動し続けていた。
【０００５】
この振動は、ベース板を経て発射レール、ガイドレール、遊技盤、発射ハンドル等に伝達されて、球飛びにばらつきを生じさせることがあった。また、ベース板には、モータ及びこれを制御するための基板が取り付けられるのが普通であるが、上述の振動が原因となって電子部品や機械要素等に疲労が発生するおそれがある。さらには、振動が発射ハンドルから遊技者の手へと伝わって操作不良や不快感を生じさせることもあった。要するに、巻ばねが振動するのは好ましくなかった。
【課題を解決するための手段】
【０００６】
請求項１記載の遊技球発射装置は、
ベース板と、該ベース板に一体化された軸受筒と、該軸受筒内に保持される軸受と、該軸受により回転自在に保持される駆動軸と、該駆動軸に連結され該駆動軸を軸として前進及び後退揺動する打球杵と、前記軸受筒を取り巻く姿勢で配され、該打球杵の後退揺動に伴ってねじれ変形量を増加して前記打球杵を前進方向に付勢する巻ばねと、該巻ばねの付勢力に抗して前記打球杵を後退変位させてから解放する後退駆動機構とを備える遊技球発射装置において、
前記打球杵が前記後退駆動機構から解放されて前進端にあるときに前記巻ばねの中間部に接触して該巻ばねの振動を抑止する振動抑止手段を設けたので、打球杵が遊技球を打撃して静止した際には振動抑止手段が巻ばねの中間部に接触して巻ばねの振動を抑止する。従って、遊技球の発射後に巻ばねが振動し続けることはなく、この振動に起因する様々な不都合を回避できる。
【０００７】
振動抑止手段は、巻ばねの中間部（両端部を除く部分）に接触すれば巻ばねの振動を抑止できるので、中間部分の全域に接触することまでを要さない。例えば適宜の間隔（周方向又は長さ方向）で振動抑止手段を配置して、スポット的に接触させてもよい。勿論、接触部分が多い程振動抑止効果が高まるから、中間部分の全域に接触させてもよい。
【０００８】
なお、振動抑止手段と巻ばねとの接触は、巻ばねの内側（内接）でもよいし外側（外接）でもよい。内接又は外接により、巻ばねの径方向の振動を抑止できる。
後退駆動機構が巻ばねの付勢力に抗して打球杵を後退変位させることにより、巻ばねのねじれ変形量を増加させて付勢力を高めるのであるが、そのねじれ変形は巻ばねの径を大きくする方向でも小さくする方向でもよい。
【０００９】
但し、このねじれ変形の方向（巻ばねの径を大きくするか小さくするか）により、振動抑止手段を内接させるか外接させるかを選択しなければならない。つまり、打球杵の後退変位に伴うねじれ変形が巻ばねの径を大きくする変形であれば、打球杵を前進変位させるときには巻ばねの径が小さくなるから振動抑止手段を内接させる構成になり、逆の場合は外接させる構成になる。
【００１０】
また、単に内接又は外接させるだけでなく、振動抑止手段の接触部分を溝状にすれば、巻ばねの長さ方向の振動を抑止できる。
請求項２記載のように、前記振動抑止手段は、円筒又は円錐の側面に相当する曲面に沿って配置された接触部にて前記巻ばねに接触して振動を抑止する構成にすれば、接触部と巻ばねとの接触が広範囲又は複数位置になるから、振動抑止効果が良好になる。
【００１１】
請求項３記載のように、前記振動抑止手段は、筒体である構成にしても、巻ばねとの接触が広範囲又は複数位置になるから、振動抑止効果が良好になる。なお、筒体としては円筒、円錐台等が例示されるが、これらに限らない。
【００１２】
振動抑止手段が巻ばねに内接する構成の場合、請求項４記載のように、前記振動抑止手段の外面をテーパ面にするとよい。
振動抑止手段が巻ばねに内接する構成の場合、組み立てに際して巻ばねを振動抑止手段（例えば筒体）に外嵌させる必要がある。このときに振動抑止手段の外面がテーパ面になっていれば作業を行いやすい。
【００１３】
請求項５記載の遊技球発射装置は、請求項１ないし４のいずれか１項に記載の遊技球発射装置において、前記振動抑止手段は、前記巻ばねの一方の端部を保持して、遊技者による操作に従って変位することで前記巻ばねのねじれ変形量を調節する調整部材と一体であるから、部品点数の増加を回避でき、組み立て工程も複雑化しない。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技球発射装置（以下、単に「発射装置」）１は図１（正面側斜視図）、図２（背面側斜視図）、図３（正面図）、図４（背面図）、図５（一部断面側面図）、図６（平面図）、図７（分解斜視図）に示すとおりに構成されている。
【００１５】
構造的な中心部材はショットベース（ベース板に該当）３であり、ショットベース３にて各部を支持する構造である。
ショットベース３は亜鉛ダイキャスト製であり、図５に良好に示されるように、ベース板に該当する板状部分と軸受筒５とを一体鋳造したものである。
【００１６】
また、図７に良好に示されるように、ショットベース３にはモータ取付座６、ストッパ取付座７、ボルト穴８等も設けられている。
モータ取付座６にはモータ取付板１０が座付きビス１１にて取り付けられている。モータ取付板１０にはステッピングモータ及びモータ制御基板が取り付けられ、ステッピングモータの出力軸には駆動カムが装着されている（いずれも図示は省略）。
【００１７】
ストッパ取付座７には杵受ゴム１２がボルト１３及びゴムホルダ１４にて取り付けられている。これら杵受ゴム１２は打球杵３３の前進位置を規定するとともに、打撃時の衝撃を吸収する。
【００１８】
ボルト穴８は発射装置１を弾球遊技機（例えばパチンコ機）に取り付けるために設けられている。
図５に良好に示される通り、軸受筒５内にはインナスペーサ１５を挟んで一対のボールベアリング１７（軸受に該当）が挿入されている。
【００１９】
また軸受筒５にはスペーサ孔が設けられており、それにアウタカラー２１の腕状の部分が差し込まれている。アウタカラー２１の外面は軸受筒５の外周面（円筒面）と整合する曲面に形成されており、アウタカラー２１をスペーサ孔に挿入した際にはアウタカラー２１の外面は軸受筒５の外周面と段差なく滑らかに連続する。
【００２０】
アウタカラー２１の厚さ（軸受筒５の軸方向に沿った厚さ）はインナスペーサ１５の厚さと等しく、これらインナスペーサ１５とアウタカラー２１とにより両ボールベアリング１７の間隔が保持されている。
【００２１】
両ボールベアリング１７及びインナスペーサ１５を駆動軸３０が貫通しており、ボールベアリング１７によって回転自在に支持されている。
駆動軸３０はフランジ３１を境として杵側とばね側とに分けることができ、上述のボールベアリング１７によって支持されている部分はばね側に属している。
【００２２】
駆動軸３０の杵側の端部３０ａは、切削加工により軸に平行な２平面が設けられ、小判状の断面形状になっている。そして、その端部３０ａには打球杵３３の小判状の嵌合穴３３ａが外嵌され、それに重ねてヒットアーム３５の小判状の穴３５ａが外嵌されている。さらに、ヒットアーム３５の外側においては座金３６を挟んで配されたナット３７が螺合され、打球杵３３およびヒットアーム３５を駆動軸３０のフランジ３１とで挟み付けるようにして、締め付けている。このため、ヒットアーム３５および打球杵３３は、駆動軸３０と共回りする。
【００２３】
打球杵３３の先端には杵先ばね３４が取り付けられており、後述するように杵先ばね３４にて遊技球を打撃して発射する。
駆動軸３０を介して打球杵３３と連結されたヒットアーム３５の先端部にはアームピン３９が取り付けられ、そのアームピン３９にてアームローラ４１を回転自在に保持している。
【００２４】
上述したとおり、モータ取付板１０にステッピングモータが取り付けられているが、ステッピングモータの出力軸に装着された駆動カムの回転域は、ヒットアーム３５とショットベース３との間になっており、駆動カムはショットベース３に沿って回転する。
【００２５】
ステッピングモータが稼働して駆動カムが回動すると、駆動カムがアームローラ４１に当接してこれを押圧する。アームローラ４１は、上述の通りヒットアーム３５を介して打球杵３３に固定されているので、駆動カムがアームローラ４１を押圧すると打球杵３３が後退側に揺動変位させられる。さらに駆動カムが回動すると駆動カムがアームローラ４１から離脱して押圧力を解除するので、ヒットアーム３５および打球杵３３は前進側に復帰可能となり、後述する巻ばね７７の付勢力によって前進して、その先端の杵先ばね３４にて図示しない発射レール上の遊技球を打撃することになる。すなわち、ステッピングモータと駆動カムとで後退駆動機構を構成しており、駆動カムの１回転毎に打球杵３３が１回ずつ後退変位しては解放される。
【００２６】
ショットベース３を挟んで打球杵３３とは反対側では、調整スリーブ５７が軸受筒５に回動自在に外嵌されている。
図８に示すように、調整スリーブ５７は、遊技者の操作に従って巻ばね７７の付勢力（変形量）を調節するための調整リング５８（調整部材に該当）と振動抑止手段となる円筒状のスリーブ５９とを一体化した部材である。
【００２７】
調整リング５８の外周部にはばね掛溝６１が設けられ、また外周部から張り出して飛び調整ギヤ６３が設けられ、さらに規制突起６５が突出して設けられている。また、調整リング５８の底面には滑り突起６６が設けられている。
【００２８】
ばね掛溝６１は、図８（ｃ）に示すように調整リング５８の外周面５８ａでクランク状に屈曲しており、複数本（本実施例では３本）設けられている。そして、図１に示されるように、そのいずれか１箇所に巻ばね７７の一端７７ａが係止させられる。この係止位置（ばね掛溝６１）の選択により巻ばね７７の基底的なねじれ変形量を調節できる。
【００２９】
飛び調整ギヤ６３ははす歯ギヤであり、調整リング５８のほぼ１／４周にわたって設けられている。
スリーブ５９は正確な円筒ではなく、外周面は基部（調整リング５８側）が大径、先端側が小径のテーパ面となっている。このテーパ面が接触部に該当する。
【００３０】
図５に良好に示されるように、調整スリーブ５７は軸受筒５に外嵌（接してはいない）されて、滑り突起６６をショットベース３の表面に接触させている。
スリーブ５９には巻ばね７７が外嵌されているが、変形されていない状態での巻ばね７７の内径はスリーブ５９の外径を下回っており、その巻ばね７７の径を拡大させるようにしてスリーブ５９に外嵌されている。
【００３１】
巻ばね７７の一方の端部７７ａは上述したようにばね掛溝６１に係止されており、他方の端部７７ｂは、インナキャップ７１のばね保持穴７２を貫通してトルクキャップ８３のばねガイド溝８５に達している。
【００３２】
巻ばね７７は基底的なねじれ変形が与えられており、図３における時計回り方向に調整スリーブ５７を付勢している。このため、外力が及ぼされていない状態では、ショットベース３に立設されたストッパ２６に規制突起６５が押し当てられている。
【００３３】
図９に示すように、トルクキャップ８３は円筒状の外周壁８４を備えており、外周壁８４と頭部８６とで形成される隅部分にキャップギヤ８７が設けられている。また、頭部８６の中央部分は凹陥してナット座８８となっており、その中心部には小判状の嵌合穴８９が設けられている。さらに、外周壁８４からは球送り駆動腕９１が延出されており、その先端には球送り駆動ローラ９２が取り付けられている。
【００３４】
図１０に示すように、インナキャップ７１は円筒状であり、先端部に強弱調整ギヤ７３が設けられている。強弱調整ギヤ７３の内側にはリング状の内フランジ部７４が設けられており、内フランジ部７４に上述のばね保持穴７２が設けられている。また、強弱調整ギヤ７３とは反対側の端部においては、外側に張り出した外フランジ部７５が設けられている。
【００３５】
インナキャップ７１の胴部７６の外径は、トルクキャップ８３の外周壁８４の内径をわずかに下回り（クリアランスがあり）、図５に良好に示されるようにトルクキャップ８３にはめ込まれている。そして、キャップギヤ８７と強弱調整ギヤ７３とが歯合している。
【００３６】
トルクキャップ８３は、インナキャップ７１を収容した状態で、嵌合穴８９に駆動軸３０の端部３０ｂを嵌合させて、その両側に配されたナット３７にて締め付けられて駆動軸３０に連結されている。このため、トルクキャップ８３は駆動軸３０と共回りする。
【００３７】
また、キャップギヤ８７と強弱調整ギヤ７３とが歯合しているために、インナキャップ７１も駆動軸３０と共回りする。
巻ばね７７は、予め基底的なねじれ変形が与えられているだけでなく、調整スリーブ５７とインナキャップ７１との間で圧縮状態にされており、調整スリーブ５７をショットベース３に向けて押圧している。
【００３８】
インナキャップ７１の外フランジ部７５を巻ばね７７の反発力に抗してショットベース３側に押してキャップギヤ８７と強弱調整ギヤ７３との歯合を解除すれば、インナキャップ７１をトルクキャップ８３及び駆動軸３０に対して回転させることができる。この回転は巻ばね７７の端部７７ｂの移動を伴うので、インナキャップ７１を回転させることで巻ばね７７の基底的なねじれ変形量を調整できる。
【００３９】
図９に示すようにトルクキャップ８３の外周壁８４には１８°ピッチ（但し、基準位置を除く）で微少な突起９０ａが、また図１０に示すようにインナキャップ７１の外フランジ部７５には２ヶ所の突起９０ｂが１８°の間隔で設けられているので、基準位置（突起無し）及び突起９０ａと突起９０ａとの相対位置を上記のねじれ変形量の調整の目安にできる。
【００４０】
この巻ばね７７の基底的なねじれ変形量の調整は、上述したとおりばね掛溝６１の選択によっても可能であるが、ばね掛溝６１の１ピッチが１５°、キャップギヤ８７及び強弱調整ギヤ７３の１ピッチが９°であることから、インナキャップ７１の回転による調整の方が調整単位が小さい（より微妙な調整が可能）。また、ばね掛溝６１による調整では端部７７ａの係合を一旦解除して移動させる必要があるが、インナキャップ７１の回転による調整ではそのような操作は必要としない。このように構成されているので、大まかな調整はばね掛溝６１にて行い、その後の微調整をインナキャップ７１で行うとよい。
【００４１】
なお、本実施例ではキャップギヤ８７及び強弱調整ギヤ７３の１ピッチを９°に設定しているが、もっと小さなピッチにすればより微妙な調整が可能であり、例えばセレーション合わせにすれば更に微妙な調整が可能になる。
【００４２】
また、インナキャップ７１は基本的に出荷前の調整用であり、出荷後（特に弾球遊技機が遊技店に設置された後）に使用することを想定していない。このため、トルクキャップ８３の１部品と見えるようにして、目立つのを避けている。
【００４３】
図１、図３等に良好に示されるように、調整スリーブ５７及びトルクキャップ８３の上方には球送りカム４８が配されている。
球送りカム４８は上から見るとＬ字状で、基部はスリーブ４９を介して、座付きビス１１にてショットベース３に連結されており、座付きビス１１を軸として回動自在である。一方、半割円柱状の駆動腕部５１の先端はショットベース３上に突出している。このため、球送りカム４８は駆動腕部５１がショットベース３に接する位置よりも下降変位できない。また、Ｌ字のコーナー部分の下側は当接部５２とされて、球送り駆動ローラ９２に載った状態になっている。
【００４４】
このため、打球杵３３が後退変位される際に、駆動軸３０と共にトルクキャップ８３が回ると（図１、図３において時計回り）、球送り駆動ローラ９２が球送りカム４８を上昇変位させる。また、打球杵３３が後退変位から解放されて前進変位する際にはトルクキャップ８３が上記と逆に回り、球送り駆動ローラ９２による押し上げ力が解除されるので球送りカム４８は下降変位する。つまり、球送りカム４８は打球杵３３の後退に伴って上昇し打球杵３３の前進に伴って下降する。
【００４５】
球送りカム４８は、この昇降に伴って駆動腕部５１によって図示しない発射球供給装置（例えば特開平１０−２０１９０１号公報や特開平１０−３１４３８１号公報に開示される打球供給装置、これと類似の装置）を駆動し、打球杵３３の１往復毎に１個の遊技球を発射レール（図示しない）上に供給させる。
【００４６】
図１、図３に良好に示されるように、調整リング５８の飛び調整ギヤ６３と歯合するはす歯のハンドル連結ギヤ６９ａを備えた連結部材６９がショットベース３に取り付けられている。
【００４７】
図１１に示すように、連結部材６９の中心部には発射ハンドルの操作軸（図示せず）が嵌合されるハンドル連結孔６８ａを有する連結筒６８が備わっており、裏側にはハンドル連結孔６８ａと同軸の軸受孔７０ａを有する筒部７０が備わっている。
【００４８】
図３、図６に良好に示されるように、連結部材６９は軸受孔７０ａを貫通した座付きビス１１によりショットベース３に取り付けられており、座付きビス１１を中心にして回動自在である。但し、図３に良好に示されるように、ハンドル連結ギヤ６９ａが、ショットベース３に立設されたストッパ９４、９５に当接する設定であるので、連結部材６９（ハンドル連結ギヤ６９ａ）の回動範囲はストッパ９４、９５によって制限されている。従って、ハンドル連結ギヤ６９ａの回動に追従する飛び調整ギヤ６３（調整リング５８）の回動範囲も自ずと制限される。
【００４９】
また、連結筒６８にはハンドルばね９６が外嵌している。ハンドルばね９６の一方の端部９６ａはハンドル連結ギヤ６９ａの側面に当接し、他方の端部９６ｂはストッパ９５に当接してねじれ状態にされており、連結部材６９（ハンドル連結ギヤ６９ａ）を図３における時計回り方向に付勢している。
【００５０】
遊技者が発射ハンドルを時計回り方向に回動操作すると連結部材６９が同方向に回り、ハンドル連結ギヤ６９ａに歯合している飛び調整ギヤ６３（調整リング５８）が図１、図３における反時計回り方向に回るので、巻ばね７７のねじれ変形量が増加して発射力が強まる。また、遊技者が発射ハンドルを戻せば発射力が弱まる。
【００５１】
以上のような構成になる発射装置１では、ステッピングモータを稼働させて駆動カムを回動させると、駆動カムがアームローラ４１に当接してこれを押圧して打球杵３３を後退側（図４における反時計回り方向）に揺動変位させる。それに伴って駆動軸３０が回転し、駆動軸３０に連結されているトルクキャップ８３等も共回りする。
【００５２】
駆動軸３０の回転は、トルクキャップ８３を介して巻ばね７７のねじれ変形を増加させる。本実施例の場合、このねじれ変形の増加は巻ばね７７の径を拡大する変形となる。
さらに駆動カムが回動すると駆動カムがアームローラ４１から離脱して押圧力を解除するので、打球杵３３は前進側に復帰可能となり、駆動軸３０及びこれに連結されている各部が、巻ばね７７の反発力によって上記とは逆方向に戻り回転させられる。この戻り回転に伴う打球杵３３の前進揺動により、図示しない発射レール上の遊技球を打撃（発射）することになる。
【００５３】
また、打球杵３３の後退、前進に伴って球送りカム４８が昇降するので、図示しない発射球供給装置によって１個の遊技球が発射レール上に供給され、次回の打球杵３３の後退、前進により打撃されることになる。
【００５４】
打球杵３３の前進揺動に伴って巻ばね７７のねじれ変形量が減少し（巻ばね７７の径が縮小し）、遊技球を打撃した打球杵３３が杵受ゴム１２によって静止させられたときには、巻ばね７７がスリーブ５９を巻き締める状態になる。すなわち、打球杵３３が遊技球を打撃して静止した際には巻ばね７７がスリーブ５９を締め付けることで、自身がスリーブ５９に拘束されてしまい、振動できなくなる。
【００５５】
従って、遊技球の発射後に巻ばね７７が振動し続けることはなく、この振動に起因する様々な不都合を回避できる。具体的には、この振動が発射レール、ガイドレール、遊技盤、発射ハンドル等に伝達されて、球飛びにばらつきを生じさせるのを防止でき、ショットベース３に取り付けられている基板やモータの電子部品や機械要素等に疲労が発生するのも防止でき、振動が発射ハンドルから遊技者の手へと伝わって操作不良や不快感を生じさせることもなくなる。
【００５６】
スリーブ５９が円筒状（外周はテーパ面）で、上述したとおり巻ばね７７が嵌め付けられているので、スリーブ５９の全長にわたって巻ばね７７を拘束でき、振動抑止効果がきわめて良好になる。
【００５７】
スリーブ５９は、調整リング５８と一体化されて調整スリーブ５７を構成しているので、スリーブ５９を設けたことで部品点数が増加するのを回避でき、組み立て工程も複雑化しない。また、スリーブ５９の外周がテーパ面であるから、巻ばね７７をスリーブ５９に外嵌する作業を行い易い。
【００５８】
なお、上記のように発射装置１が稼働しているときに遊技者が発射ハンドルを回動操作して、連結部材６９を図３における時計回り方向に回動させると、調整リング５８が反時計回りに回動されるので、打球杵３３の後退変位に伴う巻ばね７７のねじれ変形すなわち打球杵３３の打撃力が強められる。遊技者が発射ハンドルの回動量を減少させる側に操作すれば（発射ハンドルを戻せば）、上述のようにして強められた巻ばね７７の反発力を減少させることができる。すなわち、打球杵３３の打撃力は、打球杵３３の揺動変位に伴う駆動軸３０の回転による変形量と遊技者の操作による調整リング５８の回動による変形量とに応じたものとなる。この発射ハンドルの操作に伴う力は、ハンドル連結ギヤ６９ａと飛び調整ギヤ６３とによって伝達されるが、両ギヤともはす歯であるので、噛み合わせ位置が変化する際にも相互接触が維持される。このため、発射ハンドルの操作時にごつごつした感覚が発生しない。つまり、上述の振動による不快感の防止だけでなく、ごつごつ感も無くなるので、発射ハンドルの操作感が良好になる。
［その他］
実施例では、振動抑止手段として円筒状のスリーブ５９を使用したが、例えば円筒に適宜間隔でスリットを設けたもの或いはスリットの幅を大きくして何本かの腕で巻ばね７７に接触するもの等を用いることもできる。
【図面の簡単な説明】
【００５９】
【図１】実施例の遊技球発射装置の正面側斜視図。
【図２】実施例の遊技球発射装置の背面側斜視図。
【図３】実施例の遊技球発射装置の正面図。
【図４】実施例の遊技球発射装置の背面図。
【図５】実施例の遊技球発射装置の一部破断側面図。
【図６】実施例の遊技球発射装置の平面図。
【図７】実施例の遊技球発射装置の分解斜視図。
【図８】実施例の遊技球発射装置の調整スリーブの詳細図。
【図９】実施例の遊技球発射装置のトルクキャップの詳細図。
【図１０】実施例の遊技球発射装置のインナキャップの詳細図。
【図１１】実施例の遊技球発射装置の連結部材の詳細図。
【符号の説明】
【００６０】
１・・・遊技球発射装置、
３・・・ショットベース（ベース板）、
５・・・軸受筒、
１７・・・ボールベアリング（軸受）、
３０・・・駆動軸、
３３・・・打球杵、
５７・・・調整スリーブ（振動抑止手段）、
５８・・・調整リング（調整部材）、
５９・・・スリーブ（振動抑止手段）、
６９・・・連結部材、
７１・・・インナキャップ、
７７・・・巻ばね、
８３・・・トルクキャップ。
【図１】
2006042890.tif 000003
【図２】
2006042890.tif 000004
【図３】
2006042890.tif 000005
【図４】
2006042890.tif 000006
【図５】
2006042890.tif 000007
【図６】
2006042890.tif 000008
【図７】
2006042890.tif 000009
【図８】
2006042890.tif 000010
【図９】
2006042890.tif 000011
【図１０】
2006042890.tif 000012
【図１１】
2006042890.tif 000013